(57)【要約】【課題】  従来の複数月（三ケ月以上）を掲示する卓上カレンダーは、次のような課題があった。風によって倒れやすい。卓面から略垂直に立っているため見難い。卓上の他の物が隠れて見にくいなど。また、三面に３ケ月のカレンダーを表示するので、どこを見て良いか判りにくい。一年の残りの９ケ月分の用紙の保管場所がないなどである。【解決手段】上記のような課題を解決するために、本願発明の卓上カレンダーは正多角錐台の側面形状のカレンダー本体と、カレンダー本体を被せて嵌る、正多角錐台の側面形状を有する支持台とよりなり、正多角錐台の側面形状の個々の側面に月毎の七曜表を表記している卓上カレンダーである。また、正多角錐台の側面形状の中心軸が、卓面の鉛直方向から傾くように形成する支持台とした。【選択図】図１０
2014131844.tif 000002
【特許請求の範囲】
【請求項１】
カレンダー用紙を折り曲げて形成する正多角錐台の側面形状のカレンダー本体と、前記カレンダー本体を被せて嵌める支持台とよりなり、
前記支持台は多角錐台の側面形状を有し、
前記カレンダー用紙は折り曲げて形成する前記正多角錐台の側面形状の個々の側面に月毎の七曜表を表記していることを特徴とする卓上カレンダー。
【請求項２】
前記支持台が有する前記多角錐台の側面形状が、支持台用紙を折り曲げて形成する多角錐台の側面形状であることを特徴とする請求項１記載の卓上カレンダー。
【請求項３】
前記支持台が有する前記多角錐台の側面形状が、正多角錐台の側面形状である
ことを特徴とする請求項１または２記載の卓上カレンダー。
【請求項４】
前記正多角錐台の側面形状を有する支持台は、卓面に置いたときに、前記正多角錐台の側面形状の中心軸が前記卓面の鉛直方向から傾くように形成されていることを特徴とする請求項３記載の卓上カレンダー。
【請求項５】
前記支持台が有する前記多角錐台の側面形状が、正四角錐台または正六角錐台の側面形状の前後幅を狭め左右幅を広げてできる四角錐台または六角錐台の側面形状であることを特徴とする請求項１または２記載の卓上カレンダー。
【発明の詳細な説明】
【技術分野】
【０００１】
本願発明は、卓上に置いて、カレンダーを表示する用具に関するものである。
【背景技術】
【０００２】
卓上においてカレンダーを表示する用具は数々の種類がある。ここでは本願発明に近似する、電子器具等の高価な装置は用いずに、紙製のカレンダー用紙に複数月（三ケ月以上）のカレンダーを立て掛けて同時に表示する用具に限って記載する。
従来のカレンダーには以下のようなものがある。
屏風状に折り曲げ自在の多面のカレンダー表示部を、台座にあるＶ字状のスリットに植立させて、多数月を掲示する卓上カレンダーがある。（特許文献１参照）
また、長方形状の用紙の表面にカレンダーを表記し、裏面に広告コンテンツを表記して三角筒体に折り曲げて挿し込み片とスリットを使って、三角筒体を立てて使用するカレンダーがある。（特許文献２参照）
また、単一のシートを折り曲げて角筒形状を形成し、角数を選択的に変更することができる卓上表示体がある。（特許文献３参照）
【先行技術文献】
【特許文献】
【０００３】
【特許文献１】特開平８−３３７０８０公報
【特許文献２】特開２０１０−１２５８４９公報
【特許文献３】登録実用新案第３１７５３８１号公報
【発明の開示】
【発明が解決しようとする課題】
【０００４】
前記屏風状に折り曲げ自在のカレンダーにおいては、屏風状の紙であるため風によって倒れやすい。またそれを防ぐために台座を用いた場合、台座が卓上の場所を占めてしまう点や、屏風の陰に卓上の他の物が隠れて見えないなどのマイナス点がある。
前記カレンダーや広告コンテンツを記載した紙を、三角筒体に折り曲げて立てて使用するカレンダーは、やはり三角筒体の転倒を防ぐための台座が卓上の場所を占めてしまう。三角筒状のカレンダー用紙が、台座から下に抜け落ちないためのストッパー装置も必要である。また三面に３ケ月のカレンダーを表示するので見易いが、一年の残りの９ケ月分のカレンダーを記載した用紙を別な場所に保管しなければならない不便さがある。
前記単一シートを折り曲げて角筒形状を形成し、角筒を卓上に立てて使用する卓上表示体においては、やはり紙の筒であるため、風等によって倒れやすい不便さがある。また、角筒状の側面が表示版となっているため、どの側面のコンテンツが重要であるのか差別ができない不便がある。
【０００５】
さらに、前記従来の複数月（３ケ月以上）を掲示する卓上カレンダー、あるいは複数コンテンツを表示する表示体は、下記のような共通する課題がある。
１）カレンダー用紙が卓面から略垂直に立っているため、利用者の視線の方向は斜め上からであり、カレンダーを見辛い。
２）卓上カレンダーまたは表示体が直立しているため、卓上の空間の場所を占めている。
３）複数の表示面（多角柱の側面）に優劣がないため、どこを見て良いか判りにくい。
４）屏風状や角筒形状のカレンダーに書き込みをする場合、下敷がないため書き込みができない。
５）筆記用具やメモ用紙の保管場所がない。
などの課題や改良を必要とする点がある。
【課題を解決するための手段】
【０００６】
上記のような課題を解決するために、本願発明の卓上カレンダーは
カレンダー用紙を折り曲げて形成する正多角錐台の側面形状のカレンダー本体と、前記カレンダー本体を被せて嵌める支持台とよりなり、
前記支持台は多角錐台の側面形状を有し、
前記カレンダー用紙は折り曲げて形成する前記正多角錐台の側面形状の個々の側面に月毎の七曜表を表記している卓上カレンダーである。
また、
前記支持台が有する前記多角錐台の側面形状が、支持台用紙を折り曲げて形成する多角錐台の側面形状である卓上カレンダーである。
また、
前記支持台が有する前記多角錐台の側面形状が、正多角錐台の側面形状である卓上カレンダーである。
また、
前記正多角錐台の側面形状を有する支持台は、卓面に置いたときに、前記正多角錐台の側面形状の中心軸が前記卓面の鉛直方向から傾くように形成されている卓上カレンダーである。
さらに、
前記支持台が有する前記多角錐台の側面形状が、正四角錐台または正六角錐台の側面形状の前後幅を狭め左右幅を広げてできる四角錐台または六角錐台の側面形状である卓上カレンダーである。
【発明の効果】
【０００７】
本願発明の卓上カレンダーは次のような効果を得ることができる。
１）カレンダー本体と支持台は折り曲げて、上部が小さく底面が広い多角錐台の側面形状を形成するので、風等によって倒れにくい。
２）カレンダー本体を支持台に被せて嵌めるため、カレンダー本体はより倒れ難くなる。また支持台はカレンダー本体と嵌合するため、カレンダー本体よりわずかに広がる程度であり、卓上の場所を余りとらない。
３）カレンダー本体は多角錐台の側面を形成し、上に面を向けて傾斜する錐台の側面に七曜表は表示されるため、見易い。
４）カレンダー本体を、支持台の上に正多角錐台の形状のまま重ねて収納することができるため、多数の七曜表やコンテンツが記載可能で、過去のカレンダーを収納して見返すことができる。
５）卓上カレンダーは上部が小さく下部が大きい角錐台の形をしているので、従来の屏風型や角柱型と比較して、卓上の上部空間を小さく使用して、卓上の見通しがよい。
６）多角立体形の支持台を使用する卓上カレンダーでは、個々の側面が後方に傾く角度が異なる状況が生じる。利用者にとって見易い面と見辛い面とが生じ、コンテンツを表示する側面として、優劣あるいは序列のある側面を形成することができる。
７）支持台の内部を中空として、筆記具やメモカードなどを収納することができる。
８）支持台を下敷き替わりにして、七曜表を外すことなくカレンダー用紙に書き込みができる。
９）月毎の七曜表の更新にあたって、支持台を水平回転させて七曜表の位置を変えることができる。しかし、支持台からカレンダー本体を外して、水平回転させて、被せる嵌める方法でも七曜表の位置を変えることができるため、今月の七曜表の表示位置を特定することができる。
１０）前後幅を狭めた支持台を使用することで、卓上を広く使える。
１１）正三角錐台の側面形状の支持台を使用する場合、常に時系列で３ケ月分の七曜表を表示することができる。
１２）支持台があることで、今月の七曜表の位置が分かり易い。
【発明を実施するための形態】
【０００８】
以下図面を参照にしながら本願発明の好適な実施の形態を詳細に説明する。
【０００９】
はじめに、本願発明のカレンダー本体２は支持台４と嵌るため、正多角錐台の側面形状の内面側の側面を物理的（寸法的に嵌って、力学的にずれない）に利用する。つまり、正多角錐台形の側面形状の外面を七曜表の表示に利用し、内面を物理的に利用する。従って、カレンダー本体の正多角錐台の「側面」形状とは外面に関する場合と、内面に関する場合と両方に関する場合がある。一方支持台の正多角錐台等の「側面」形状とは、支持台の外面に関する場合である。
【００１０】
図１は本願発明の卓上カレンダーに用いるカレンダー用紙１を説明する図であり、図１の（Ａ）図はカレンダー用紙１の表面を表し、（Ｂ）図はカレンダー用紙１の裏面を表している。
図１のカレンダー用紙１は、折り目１ａで折り曲げることで正多角錐台の側面を形成することができ、その個々の側面に、つまりカレンダー用紙１の端部１ｂと折り目１ａとで、あるいは折り目１ａと折り目１ａとで囲まれた個々の側面１ｃに月毎の七曜表が表記されている。
【００１１】
ここで正多角錐台とは、正多角錐を底面と平行な２面で切取った２面の間の立体である。従って正多角錐台の側面の左右の辺の延長線はその正多角錐の頂点で交わる。左右の辺の延長線が交わる角度は一定である。
正多角錐台の各側面は同形で同サイズ（合同）の等脚台形の形状している。従って、折り曲げる前のカレンダー用紙１はカレンダー用紙１の端部１ｂと折り目１ａとで囲まれた個々の側面１ｃは同形で同サイズの等脚台形の形状をしている。図１のカレンダー用紙１は８面の個々の側面１ｃがあるので、最大で正８角錐台の側面形状を形成することが可能である。
図１で表すように正多角錐台の側面の展開図が、等脚台形の左右の辺を接した形状である場合、個々の側面１ｃの左右の辺１ｄを延長すると延長線１ｅは頂点である一点で交わる。等脚台形の底辺と左右の辺とその延長線がなす形状は二等辺三角形である。カレンダー用紙１の個々の側面１ｃの左右の辺１ｄの延長線１ｅの交点のなす角度１αは一定の角度となる。
【００１２】
上記説明のように、図１のカレンダー用紙１は、
カレンダー用紙１を折り曲げて形成する正多角錐台の側面２ａ形状のカレンダー本体となる。また、前記カレンダー用紙１は折り曲げて形成する前記正多角錐台の側面２ａ形状の個々の側面１ｃに月毎の七曜表１１を表記している。
【００１３】
カレンダー用紙の材料は紙または折り曲げ可能な合成樹脂がよい。
カレンダー用紙の個々の側面は月毎の七曜表を表記するため、カレンダー用紙の個々の側面の数は１２面が必要であり、一枚のカレンダー用紙の表裏面を利用する場合、カレンダー用紙の一面に６面以上の個々の側面を必要とする。
本願発明の、折り曲げて正多角錐台の側面を形成するカレンダー本体は、重ね合せて使用することができるので、複数枚のカレンダー用紙を使用してもよい。
個々の側面の数が１２面以上ある一枚または複数枚のカレンダー用紙を用いる場合には、月毎の七曜表以外を表記してもよい。例えば、年間の七曜表、地下鉄路線図、緊急連絡先リスト、写真、絵、標語や予定表を記載した面があってもよい。
また、カレンダー用紙は正多角錐台の側面形状として支障のない限り、カレンダー用紙の上部や下部の形状に凹凸や切欠きがあったり、用紙に開口部があったりしてもかまわない。
【００１４】
尚、図１で表すカレンダー用紙は、表裏の面に６月と７月の七曜表を重複して表記している。このように七曜表を配置したカレンダー用紙を用いて、正三角錐台の側面形状のカレンダー本体を形成すると、１月から１２月まで一年を通して、常に時系列で、正面に今月の七曜表を表示し、左側面に先月の七曜表を、右側面に来月の七曜表を表示できる。便利な三ケ月表示の卓上カレンダーを創出することが可能である。
【００１５】
図２の（Ａ）と（Ｂ）図は、図１で表すカレンダー用紙１を折り曲げて形成する正多角錐台の側面２ａ形状のカレンダー本体２を表す図である。
図１のカレンダー用紙１は同形で同サイズの等脚台形の個々の側面１ｃが折り目で仕切られているため、一部の面を重ねて折り曲げることで、数の少ない角の正多角錐台の側面を形成することができる。
図２の（Ａ）図は、図１で表すカレンダー用紙１を折り曲げて形成する正三角錐台の側面形状のカレンダー本体２を表す図である。図２の（Ｂ）図は、図１で表すカレンダー用紙１を折り曲げて形成する正四角錐台の側面形状のカレンダー本体２を表す図である。
【００１６】
図２の（Ｃ）図は、カレンダー用紙を折り曲げて形成する正四角錐台の側面形状の性質を説明する図である。図２の（Ｃ）図に表すカレンダー用紙１は、図２の（Ｂ）図で表された正四角錐台の側面形状のカレンダー本体２を、前後幅を狭めて左右幅を広げた状態を表す図である。紙のように折り目１ａで折り曲げ可能である偶数角の正多角錐台の側面形状は、正多角錐台の側面形状から前後幅を狭め左右幅を広げて、（Ｃ）図で表すような扁平な形状になるまで、形状を変化させることが可能である。
【００１７】
図２の（Ａ）と（Ｂ）図で表すカレンダー用紙１を折り曲げて形成する正多角錐台の側面形状のカレンダー本体２は、簡単にクリップ８ａで留めて折り目が広がることを防いでいる。折り曲げて形成した多角錐台の側面の形状を維持する方法は、カレンダー用紙に設けたスリットに差し込み片を挿し込むような紙加工による方法であってもよいし、貼って剥がせる粘着剤を用いる等などの他の方法であってもよい。
【実施例１】
【００１８】
図３は本願発明の卓上カレンダーの実施例１を表す図であり、図１で表すカレンダー用紙とは別の形態のカレンダー用紙１とカレンダー本体を表す斜視図である。
図３の（Ａ）図で表すカレンダー用紙１は、予め折り曲げて両端部を連結した正四角錐台の側面形状が形成されているカレンダー用紙１であって、カレンダー本体１０であり、すなわちカレンダー本体２である。三つのカレンダー本体１０を支持台４に重ねて被せて嵌めるだけで、直ちに卓上カレンダーとして利用が可能なカレンダーである。
図３の（Ａ）図に表す卓上カレンダーは、
カレンダー用紙１を折り曲げて形成する正多角錐台の側面２ａ形状のカレンダー本体２と、前記カレンダー本体２を被せて嵌める支持台４とよりなり、
前記支持台４は多角錐台の側面５ａ形状を有し、
前記カレンダー用紙１は折り曲げて形成する前記正多角錐台の側面２ａ形状の個々の側面１ｃに月毎の七曜表１１を表記していることを特徴とする卓上カレンダーである。
また、
前記支持台４が有する前記多角錐台の側面形状が、支持台用紙３を折り曲げて形成する多角錐台の側面５ａ形状である卓上カレンダーである。
さらに、
前記支持台４が有する前記多角錐台の側面５ａ形状が、正多角錐台の側面４ａ形状である
ことを特徴とする卓上カレンダーである。
カレンダー本体２は支持台４に被せて嵌る寸法の正四角錐台の側面形状であって、第三の正四角錐台の側面形状を形成するカレンダー本体１０ｃの上に第二の正四角錐台の側面形状を形成するカレンダー本体１０ｂを被せて重ね、そのまた上に第一の正四角錐台の側面形状を形成するカレンダー本体１０ａを被せて重ねる。重ねた三枚のカレンダー本体１０を支持台４の上に被せて重ねるだけで、卓上カレンダーとして使用可能な状態となる。カレンダー本体相互もカレンダー本体と支持台とも、被せて重ねるだけで嵌り、外れたりずれたりしない状態となる。
図３の（Ｂ）図は、三枚のカレンダー本体１０を支持台４の上に被せて重ねた使用状態を表す斜視図である。
図３で表す支持台４は、図４で表す支持台用紙３を折り曲げて容易に形成することができる。また、木製部材や、合成樹脂部材を組み立てる方法や、ガラスや陶器のように形成する方法でも容易に製作が可能である。
カレンダー本体１０を三枚重ねた厚みは、三枚の紙を傾斜させた厚さ分だけ正四角錐台の側面の高さが高くなることと同じであるが、カレンダー使用上の支障はない。
時期が過ぎたカレンダー本体１０は破棄してもよいし、破棄せずに表面のカレンダー本体の下層に重ねて保管することであってもよい。
また図３に表すような、折り曲げて形成する正四角錐台の側面は、左右あるいは前後から押しつぶして平板状にすることができる。三枚のカレンダー用紙と支持台とを押しつぶして平板状にして、梱包することができる。また、平板状の両端部を近づけることで、平板状から正四角錐台の側面の形状に簡単に戻すことができる。運搬時は平板状で運び易く、使用時には正多角錐台の側面形状を簡単に形成できる、便利な卓上カレンダーであると言える。
尚、支持台および支持台の有する多角錐台の側面形状の材料と形成方法は、前記したように木、金属、ガラス等を用いて、公知の方法で、目的とする形状に形成することでもよい。
【００１９】
図４は支持台用紙３の説明図１であり展開図であり、
支持台用紙３を折り曲げて形成する多角錐台の側面形状を有する支持台の展開図である。
また、図４の支持台用紙３を折り曲げて形成する支持台は、多角錐台の側面形状のうち、正多角錐台の側面形状を有している支持台である。
図４で表すように正多角錐台の側面の展開図が、等脚台形の左右の辺を接した形状である場合、各面３ｃの左右の辺３ｄを延長すると延長線３ｅは頂点である一点で交わる。当然、支持台用紙３の各面３ｃの左右の辺３ｄの延長線３ｅの交点のなす角度３βは一定の角度となる。支持台用紙３を折り目３ａで折り曲げ、挿し込み片３ｈをスリットに差し込むことで、正四角錐台の側面を形成する支持台を形成することができる。
【００２０】
図５は支持台用紙の説明図２であり、別な形態の支持台の展開図であり、
カレンダー本体を被せて嵌める、
支持台用紙３を折り曲げて形成する多角錐台の側面形状を有する支持台の展開図である。
図５の実施例は、多角錐台の側面形状のうちの正四角錐台の側面形状を有する支持台の展開図である。
図５の展開図は、底板３ｆを中心に高さ調整台の側壁３ｇを間に入れて正多角錐台の各面３ｃが四方に向いた形の展開図である。正多角錐台の各面３ｃは合同の等脚台形である。
図４の展開図と異なり、正多角錐台の側面の展開図が、正多角錐台の各面３ｃの左右の辺３ｄを延長すると延長線３ｅは頂点を形成しない。しかし、支持台用紙３の各面３ｃの左右の辺３ｄの延長線３ｅの交点のなす角度３βはいずれも一定の角度となり、正四角錐台の側面を形成することができる。
【００２１】
支持台および支持台の有する多角錐台の側面形状を形成する支持台用紙の材料は紙または折り曲げ可能な合成樹脂がよい。多少硬いボール紙を用いることで、カレンダー本体に書き込みをする際の下敷きとなり、便利である。支持台４の下方に底板３ｆがあってよい。支持台の底面あるいは下方に底板３ｆがあることで、支持台の内部空間を、筆記具等を収納する空間として利用することができ、便利な卓上カレンダーを形成することができる。
また、支持台および支持台の有する多角錐台の側面形状を形成する材料は、紙を折り曲げるよりも多少価格が高くなるが、木、金属、合成樹脂、ガラスあるいは陶器等でもよい。それらの材料を用いても、後述する本願発明の支持台の形状に、公知の方法で組み立てる、あるいは形成することができる。
【実施例２】
【００２２】
図６は本願発明の実施例２を表す図で斜視図である。
図６（Ａ）図は支持台用紙を折り曲げて形成する正三角錐台の側面形状を有する支持台４を用いた実施例であり、（Ｂ）図は同じく正四角錐台の側面形状を有する支持台４を用いた実施例である。
図６で表す本願発明の卓上カレンダーは、
カレンダー用紙１を折り曲げて形成する正多角錐台の側面２ａ形状のカレンダー本体２と、前記カレンダー本体２を被せて嵌める支持台４とよりなり、
前記支持台４は支持台用紙３を折り曲げて形成する多角錐台の側面５ａ形状を有し、
前記カレンダー用紙１は折り曲げて形成する前記正多角錐台の側面２ａ形状の個々の側面１ｃに月毎の七曜表１１を表記している卓上カレンダーである。
【００２３】
以下で図６の（Ｂ）図を参照して、カレンダー本体２が支持台４に「嵌る」ことを説明する。
正多角錐台の側面形状を形成したカレンダー本体２が、正多角錐台の側面形状を有する支持台４に嵌るとは、
カレンダー本体２の正多角錐台の側面形状と支持台４の有する正多角錐台の側面形状の角の数が一致することは勿論である。
カレンダー本体２の正多角錐台の側面形状の個々の側面１ｃの左右の辺１ｄの延長線１ｅが交わる角度１αと、支持台４が有する正多角錐台の側面形状の各面の左右の辺３ｄの延長線３ｅが交わる角度３βが同じである必要がある。
そして支持台４の有する正多角錐台の側面形状が小さ過ぎずに、カレンダー本体２の正多角錐台の側面形状の上底から支持台が抜け出さない限り、
正多角錐台の側面形状のカレンダー本体２を支持台４の有する正多角錐台の側面形状に被せたとき、カレンダー本体２は支持台４に嵌り、ずれたり外れたりしない。
上記に「嵌る」の説明に関して、別な言い方をすると、
カレンダー本体の正多角錐台の側面形状の個々の側面１ｃの左右の辺１ｄを延長して形成される正多角錐の頂部の形状１ｘと、支持台の有する正多角錐台の側面形状の各面３ｃの左右の辺３ｄを延長して形成される正多角錐の頂部の形状３ｘとが、同じ形状であるということである。
上記のような条件が整えば、支持台の有する正多角錐台の側面形状が多角錐台の側面形状であっても、正多角錐台の側面形状のカレンダー用紙が支持台に嵌まることができる。後記する偶数角の正多角錐台の側面形状の前後幅を狭め左右幅を広げた多角錐台の側面形状は上記の条件を整えている。これは、正多角錐台の側面形状のカレンダー用紙は、折り目で折り曲げる可能であるため、支持台に被せて嵌るときに、支持台の形状に追随することができるからである。
【００２４】
カレンダー本体２を、支持台４の正多角錐台の側面形状の上から落とすように被せることで、カレンダー本体を支持台に嵌めることが可能である。
上部が小さい正多角錐台の側面形状を形成するカレンダー本体が、支持台の正多角錐台の側面形状に嵌っているので、カレンダー用紙が下に落ちないための装置であるストッパー装置がなくても、下にずり落ちない。また、支持台に密着しているので、風で揺れたり飛ばされたりすることはない。支持台４は錐台形の、言わば足を広げた安定した形である。
また、支持台の有する正多角錐台の側面形状の高さはカレンダー本体の正多角錐台の側面形状の高さと同じである必要はない。紙製の壁掛けカレンダーやパンフレットの綴じ代は２〜３センチメートル程度である故、支持台の有する正多角錐台の側面形状の高さは２〜３センチメートル以上あれば面と面が接触して、カレンダー本体は嵌って動かない。つまり支持台の正多角錐台の側面形状は見かけ上、上方が斜めであったり、下方に切欠きがあったりしても、２〜３センチメートル以上の高さで一周帯状に正多角錐台の側面形状があれば、その側面部分でカレンダー本体の正多角錐台の側面形状と嵌ることが可能である。
尚、正四角錐台以上角の多い、例えば一年１２カ月の正１２角錐台の側面形状のカレンダー本体と支持台であっても上記のように被せて嵌めることができる。
図６の実施例では、筆記具等８ｂを収納できる卓上カレンダーを表している。また、吊下げ装置８が目印となって支持台の正面の位置がわかり、今月の七曜表の位置が分かり易い。支持台がない場合は、カレンダー本体のどの面が今月の位置であるのか、一目では分からない不便さがある。
【実施例３】
【００２５】
図７は本願発明の実施例３を表す図である。
図７は図５で表した展開図の支持台用紙３を折り曲げて支持台４を形成し、カレンダー本体２を被せて嵌めた状態を表している正面の説明図である。尚、支持台は木製や金属部材を従来の方法で組み立てしたり、ガラスや陶器のように形成する方法で製作してもよい。
図では、カレンダー本体２に表記すべき七曜表等は表現せずに、カレンダー本体２に隠れて見えない支持台４の外形線を点線で表している。
支持台４の有する正四角錐台の側面４ａ形状部分が、カレンダー用紙を折り曲げて正四角錐台の側面２ａ形状を形成したカレンダー本体２と嵌って、カレンダー本体２を保持している状態を表している。
図７の本願発明の卓上カレンダーはミニチュアの小屋の形状である。小屋の屋根部分に月毎の七曜表が表示され、月が替わるごとに小屋の屋根を持ち上げて９０度水平回転して屋根を再度被せて嵌めることで月毎のカレンダーを簡単に更新することができ卓上カレンダーである。小屋の入り口が正面であり、今月の七曜表の位置を表す目印となる。あるいは、小屋全体（支持台ごと）を９０度水平回転して月毎のカレンダーを更新することができる。しかし、その場合は今月の七曜表がどこにあるのか、迷うことになる。
図７で表すように、カレンダー本体２と支持台４は面と面で接触して嵌合する。前記したように、卓上に置くカレンダーのサイズであるならば、カレンダー本体と支持台は双方の正多角錐台の側面が高さ２〜３センチメートル以上で一周を帯状に接していればよい。カレンダー本体の正四角錐台の側面形状全体の面と面が接触する必要はない。従って、図７のミニチュアの小屋１２の屋根１２ａのようにカレンダー本体２の上部や下部にデザイン的な凹凸を設けても支障はない。
【００２６】
本願発明の卓上カレンダーは、上記説明したような形状であるため、以下のような効果を得ることができる。比較参考のために図８で表す従来事例と対比して説明する。図８の（Ａ）図は本願発明の卓上カレンダーの正三角錐台の側面形状を形成する支持台４に、カレンダー本体２を被せて嵌めた状態の斜視図である。（Ｂ）図は従来事例の筒状あるいは筒体形状の卓上カレンダー９を表している斜視図である。本願発明の卓上カレンダーも従来事例の卓上カレンダー９も共に三ケ月分の七曜表を表示していて、コンテンツの表示数では同じである。
しかし、大きな違いは本願発明の卓上カレンダーは、カレンダー本体も支持台も正多角錐台の側面形状をしているため、図３（Ｂ）図で表すように、カレンダー本体を幾つでも被せて、嵌めて、積重ねることができることである。他方、従来事例の卓上カレンダー９は筒状形であって、筒と筒とを連結するための差し込み接合はあっても、被せる、嵌める、重ねる、ことはできない。また、嵌めるためには、前述の図６の説明にあるような条件を整える必要がある。
本願発明の卓上カレンダーは、カレンダー本体２も支持台４とも、言わば上部が平らなピラミッド形に近い、正多角錐台の形状をしているため、風や卓面の不陸に対して転倒し難い卓上カレンダーである。
また、従来事例の卓上カレンダー９では、三角柱形であり、カレンダー用紙が支持台から抜け落ちるため、何らかのストッパー９ａ装置が必要である。しかし、本願発明の卓上カレンダーは、上部が小さく下部が大きい正多角錐台を同じ形状の正多角錐台に被せるため、抜け落ちることはなく、ストッパー等の装置は不要である。
また本願発明の卓上カレンダーの形状は、カレンダー本体２の正多角錐台形の大きな面積の下底の面を、支持台４の正多角錐台形の小さな面積の上底の面に被せるのであって、非常に容易に被せることができる。そして、被せたカレンダー用紙が支持台の側面に沿って下に落ちるとともに、しっかりと嵌る、便利な構造である。
また、従来事例のカレンダーは表示面が卓面から略垂直に立っているが、本願発明の卓上カレンダーは、七曜表１１の表示面が正多角錐台の側面２ａ形状であり、個々の側面が後方に傾いている。利用者の視線の方向９ｂは斜め上方からであるため、後方に傾いている本願発明の卓上カレンダーは見易いカレンダーである。
限られたスペースである卓上において、本願発明の卓上カレンダーは従来事例の卓上カレンダー９と異なり、上部が小さくなっている。利用者の視線の方向９ｂである斜め上から見たとき、従来事例の卓上カレンダー９の形状よりも卓上の空間的視野を阻害することが少なくなる、つまり本願発明の卓上カレンダーは卓上の見通しの邪魔になる程度が少ない卓上カレンダーであると言える。
【実施例４】
【００２７】
図９は実施例４を説明するための図であり、図１０は実施例４を表す図である。
図９の（Ａ）図は正四角錐台の側面４ａ形状の支持台４の側面図であり、（Ｂ）図は（Ａ）図の支持台４を上から見た平面図である。（Ｃ）図は、（Ａ）図で表された支持台４にカレンダー本体２を被せて嵌めた使用状態の側面を表している図である。
図１０の（Ａ）図は、図９で表された支持台の下方胴部４ｄを傾斜平面７ａで切り取った面を底面とする多角立体形６の支持台の側面図である。図１０の（Ｂ）図はその支持台を上から見た平面図であり、（Ｃ）図は（Ａ）図で表された支持台４にカレンダー本体２を被せて嵌めた使用状態の側面を表している図である。
つまり、図１０で表す支持台は、図９で表す支持台の、カレンダー本体が被る正多角錐台の側面４ａ形状部分（図１０図（Ａ）図の斜線部分）を残して、下方胴部を斜めに切り取った形状である。
【００２８】
(図９（Ａ）図を参照にして)、ここで正多角錐台の横断面は正多角形であり、その正多角形の中心点と正多角錐台の各面の左右の辺３ｄの延長線３ｅで形成される正多角錐の頂点とを結ぶ直線を、正多角錐台の中心軸４ｃと称する。
正多角錐台形の支持台４の下方胴部４ｄを底面４ｂと平行ではない傾斜平面７ａで切取り取った面を（図１０（Ａ）図を参照にして）底面６ｂとする多角立体形６は、
切り取られずに残った正多角錐台の側面４ａ形状の中心軸４ｃが、卓面７の鉛直方向７ｃから傾くように形成する正多角錐台の側面４ａ形状を有する多角立体形である。
上記説明したように、正多角錐台形の支持台４の下方胴部４ｄを底面４ｂと平行ではない傾斜平面７ａで切取り取った面を底面６ｂとする多角立体形６を支持台４としても、正多角錐台の側面を形成するカレンダー本体２を被せて嵌めることが可能である。
つまり、このような立体の形状は正多角錐台ではないが、側面に正多角錐台の側面形状を有している多角立体形６の支持台４であると言うことができる。
【００２９】
上記では支持台の下方胴部を斜めに切り取ることで説明したが、支持台の下方を不均衡に延長することでも同じことである。また、支持台の下に傾斜した台を履かせる等の方法でも、正多角錐台の側面形状の中心軸が卓面の鉛直方向から傾くように形成することは可能である。
図１０の（Ｃ）図で表される卓上カレンダーは、
カレンダー用紙１を折り曲げて形成する正多角錐台の側面形状のカレンダー本体２と、前記カレンダー本体２を被せて嵌める支持台４とよりなり、
前記支持台４は支持台用紙を折り曲げて形成する多角錐台（図（Ｃ）では正四角錐台）の側面５ａ形状を有し、
前記カレンダー用紙１は折り曲げて形成する前記正多角錐台の側面形状の個々の側面１ｃに月毎の七曜表１１を表記している卓上カレンダーである。
また、
前記正多角錐台の側面４ａ形状を有する支持台４は、卓面７に置いたときに、前記正多角錐台の側面４ａ形状の中心軸４ｃが前記卓面の鉛直方向７ｃから傾くように形成されている卓上カレンダーである。
【００３０】
図１０に表す、言わば全体が傾斜した上部が平らなピラミッド形状の、多角立体形の支持台４の卓上カレンダーとしての効果は以下のようである。
図１０の（Ｂ）図の平面図で表すように、支持台４の側面はＡ、Ｂ、ＣとＤ面の４面あるが、それぞれの面が後方に傾く角度が異なる状況が生じる。（Ｂ）図の支持台４の場合では、Ａ面が一番後方に傾いていることから、Ａ面が利用者にとって見易く、Ａ面に表示されたコンテンツが一番目立つ状況が生じる。逆にＣ面に表示されるコンテンツが一番見辛く、目立たない状況となる。つまり、図９の（Ｂ）図で表された正四角錐台の４側面は平等な価値を有した側面であるが、図１０の（Ｂ）図で表す多角立体形の４側面はコンテンツを表示する側面として、優劣あるいは序列のある４側面であると言うことができる。
カレンダーとして利用する場合であれば、利用者が視線を向けることが多い今月の七曜表をＡ面に、Ｄ面に先月の七曜表、Ｂ面に来月の七曜表を表示することで、見易く、どこを見て良いのか目が迷わない、便利な卓上カレンダーを創り出すことができる。
また、月毎の七曜表の表示の交換の手間も、カレンダー本体２を摘まんで支持台４から浮かし、水平方向に９０度回転させて、再度支持台に被せ、下に押し下げることで、カレンダー本体２を支持台４に嵌めることができる。月毎の表示の交換も簡単な手間である。
【実施例５】
【００３１】
図１１は本願発明の実施例５の説明図である。
１１図の（Ａ）図は、支持台４の有する正多角錐台の側面４ａ形状の中心軸４ｃが、卓面７の鉛直方向７ｃと平行である支持台を表している。
１１図の（Ｂ）図は、（Ａ）図の支持台の、正多角錐台の側面ではない下方胴部４ｄを斜めに切り落とした形状の支持台を表している。このような、正多角錐台の側面４ａ形状の中心軸４ｃが、卓面７の鉛直方向７ｃから傾くように形成する正多角錐台の側面４ａ形状を有する支持台は、正多角錐台の側面形状のカレンダー本体を被せて嵌めることができる。
図１１の（Ｂ）図で表す本願発明の卓上カレンダーは、
正多角錐台の側面４ａ形状を有する支持台４は、卓面７に置いたときに、前記正多角錐台の側面４ａ形状の中心軸４ｃが前記卓面の鉛直方向７ｃから傾くように形成されている卓上カレンダーである。
【実施例６】
【００３２】
図１２は実施例６を説明するための図であり、図１３は実施例６を表す図である。
図１２の（Ａ）図は正四角錐台の支持台を前後から押しつぶした、前後幅６ｅを狭め左右幅６ｆを広げた形状の多角立体形の正面図である。（Ｂ）図はその平面図である。平面形状は左右対称であり、上下にも対称形であることにより、横断面の形状も左右対称かつ上下対称の四面体であり、ひし形である。
（Ｃ）図はその側面図である。しかしこの形状は底部が平坦ではない。そのため支持台４の下方胴部４ｄを平面７ｂで切取った面を底面とする多角立体形の支持台を形成する必要がある。
この多角立体形の支持台４の４側面の形状は多角立体形の側面形状であるが、各側面の左右の辺３ｄを延長すると延長線３ｅは頂点である一点で交わり、左右の辺の延長線３ｅの交点のなす角度３βは一定の角度となる。つまり、この支持台の４側面は正四角錐台の側面の性質と前述の点で同じ性質を保持しているため、左右の辺１ｄの延長線１ｅの交点のなす角度１αが上記支持台の角度３βと同じカレンダー本体２は嵌めることができる。カレンダー本体は折り曲げて正四角錐台の側面を形成するものであり、これを前後幅を狭め左右幅を広げた形状を形成することは可能であり（図２の（Ｃ）図を参照）、カレンダー本体はこの形状であっても追随することができ、何ら支障はない。
【００３３】
図１３は、上記図１２で説明した形状の本願発明の卓上カレンダーの実施例６を表す図であり、（Ａ）図は正面図であり、（Ｂ）図は側面図である。
ここで、図１３の支持台４の上部と下部の凹凸を除いた中央部分（図１２で表す斜線部分）は多角錐台（四角錐台）の側面５ａ形状である。つまり、図１３に表されている支持台４は多角立体形であるが、側面には前記説明したような正四角錐台の側面形状と同じ性質を保持した四角錐台の側面形状を有している支持台である。あるいは、四角錐台の側面形状の上方と下方に側面が延長された多角立体の側面形状と言うこともできる。
図１３で表す卓上カレンダーは、
カレンダー用紙１を折り曲げて形成する正四角錐台の側面形状のカレンダー本体２と、前記カレンダー本体２を被せて嵌める支持台４とよりなり、
前記支持台４は支持台用紙３を折り曲げて形成する四角錐台の側面形状を有し、
前記カレンダー用紙１は折り曲げて形成する前記正四角錐台の側面形状の個々の側面１ｃに月毎の七曜表１１を表記している卓上カレンダーである。
また、
前記支持台が有する前記多角錐台の側面形状が、正四角錐台の側面形状の前後幅を狭め左右幅を広げてできる四角錐台の側面形状である卓上カレンダーである。
ここで、正多角錐台の側面形状のカレンダー本体は、折り曲げ可能であるため、四角錐台の側面形状の支持台に嵌めることができる。
実施例６の卓上カレンダーは、実施例１、２、３、４と５と同様にカレンダー本体とカレンダー本体を被せて嵌める支持台とよりなる卓上カレンダーである。しかし、支持台の形状が平面的に前後の幅が狭い多角立体形である。この形状は、卓上やテーブル上を広く使用したい場合、前後の幅の狭い実施例６の卓上カレンダーを用いることで、壁際や隅に寄せて卓上カレンダーを置くことができる利点がある。
また、実施例４と同様に、支持台４の下方胴部４ｄを傾斜平面７ａで切り落とした多角立体形の支持台４とすることも可能で、卓上カレンダーの側面の傾斜角度を変えることができる。つまり実施例６の卓上カレンダーは、図１３の（Ｂ）図の側面図に表すように、卓上カレンダーの前面を後面より大きく後方に傾けて、コンテンツを見易くすることができる、便利なカレンダーである。
【実施例７】
【００３４】
図１４は、本願発明の卓上カレンダーの実施例７を表す斜視図である。
正六角錐台の側面形状の横断面は正六角形であり、正六角錐台の側面形状の前後幅を狭め左右幅を広げてできる横断面の形状は六角形となる。
図１４で表す支持台４の形状は、正六角錐台の前後幅を狭め左右幅を広げてできる多角立体形の、下部と上部の凹凸部分を平行な面で切りそろえた六角錐台の形状である。
図１４で表す卓上カレンダーは、
カレンダー用紙１を折り曲げて形成する正多角錐台の側面形状のカレンダー本体２と、前記カレンダー本体２を被せて嵌める支持台４とよりなり、
前記支持台４は支持台用紙３を折り曲げて形成する多角錐台（図は六角錐台）の側面５ａ形状を有し、
前記カレンダー用紙１は折り曲げて形成する前記正多角錐台の側面形状の個々の側面１ｃに月毎の七曜表１１を表記している卓上カレンダーである。
また、
前記支持台４が有する前記多角錐台の側面５ａ形状が、正六角錐台の側面形状の前後幅６ｅを狭め左右幅６ｆを広げてできる六角錐台の側面形状である卓上カレンダーである。
（尚、図１４では、支持台は四角錐台に見えるが、六角錐台の前後幅を、２側面が平面状になるように狭めているためである。）
カレンダー本体２は折り曲げ可能であるため、前記実施例６で説明したように、この支持台の６側面は正六角錐台の側面の性質と同じ性質（左右の辺の延長線の交点のなす角度３βが一定）を保持している多角錐台（六角錐台）であるため、このような多角立体形状の支持台４であっても、正六角錐台の側面形状を有する支持台と同じようにカレンダー本体２が被って嵌ることができる。また、正六角錐台の形状より前後幅が狭いため、卓上の隅に寄せて卓上を広く使うことが可能な卓上カレンダーを形成することができる。
【００３５】
以上説明の都合上、支持台および支持台の有する多角錐台の側面形状に関して、支持台用紙を折り曲げて形成する方法で説明した。支持台および支持台の有する多角錐台の側面は、木、金属、合成樹脂、ガラス、陶器等でも製作可能である。ガラスや陶器で支持台を形成した場合には花器としても併用できる。
本願発明の卓上カレンダーはカレンダー本体と支持台とが切り離せるため、それらの耐久性のある材料で支持台を構成することによって、二年目以後はカレンダー用紙のみを更新することで、経済的な卓上カレンダーを創りだすことができる。
本願発明の卓上カレンダーは、図６に表すような吊下げ装置８を支持台４設けて、壁掛け式カレンダーとしても利用することができるため、卓上が書類で溢れている場合等に便利である。
【図面の簡単な説明】
【００３６】
【図１】カレンダー用紙を説明する図である。
【図２】カレンダー本体を表す図である。
【図３】実施例１を表す図である。
【図４】支持台用紙の説明図１であり展開図である。
【図５】支持台用紙の説明図２であり展開図である。
【図６】実施例２を表す図である。
【図７】実施例３を表す図である。
【図８】従来事例との比較説明図である。
【図９】実施例４を説明するための図である。
【図１０】実施例４を表す図である。
【図１１】実施例５を説明する図である。
【図１２】実施例６を説明するための図である。
【図１３】実施例６を表す図である。
【図１４】実施例７を表す斜視図である。
【符号の説明】
【００３７】
１：カレンダー用紙
１ａ：折り目
１ｂ：カレンダー用紙の端部 
１ｃ：個々の側面
１ｄ：辺
１ｅ：辺の延長線
１ｘ：正多角錐の頂部の形状
１α：左右の辺の延長線の交わる角度
２：カレンダー本体
２ａ：正多角錐台の側面
３：支持台用紙
３ａ：折り目
３ｃ：正多角錐台の各面
３ｄ：辺
３ｅ：辺の延長線
３ｆ：底板
３ｈ：挿し込み片または糊付け片
３ｘ：正多角錐の頂部の形状
３ｇ：高さ調整台の側壁
３β：左右の辺の延長線の交わる角度
４：支持台
４ａ：正多角錐台の側面
４ｂ：正多角錐台の底面
４ｃ：正多角錐台の中心軸
４ｄ：下方胴部
５ａ：多角錐台の側面
６：多角立体形
６ａ：多角立体形の側面
６ｂ：多角立体形の底面
６ｄ：切り取られる以前の正多角錐台形の支持台の外形線
６ｅ：前後幅
６ｆ：左右幅
７：卓面
７ａ：傾斜平面
７ｂ：平面
７ｃ：卓面の鉛直方向
８：吊下げ装置
８ａ：クリップ
８ｂ：筆記具等
８ｃ：筆記具等を収納する内空
９：従来事例の卓上カレンダー
９ａ：カレンダー用紙が抜け落ちないためのストッパー装置
９ｂ：利用者の視線の方向
１０：予めカレンダー用紙の両端部を連結した正四角錐台の側面形状のカレンダー本体
１０ａ：第一の正四角錐台の側面形状のカレンダー本体
１０ｂ：第二の正四角錐台の側面形状のカレンダー本体
１０ｃ：第三の正四角錐台の側面形状のカレンダー本体
１１：七曜表
１１ａ：日付表示
１１ｂ：曜日表示
１１ｃ：月表示
１２：ミニチュアの小屋
１２ａ：屋根
１２ｂ：入口
１２ｃ：窓
【図１】
2014131844.tif 000003
【図２】
2014131844.tif 000004
【図３】
2014131844.tif 000005
【図４】
2014131844.tif 000006
【図５】
2014131844.tif 000007
【図６】
2014131844.tif 000008
【図７】
2014131844.tif 000009
【図８】
2014131844.tif 000010
【図９】
2014131844.tif 000011
【図１０】
2014131844.tif 000012
【図１１】
2014131844.tif 000013
【図１２】
2014131844.tif 000014
【図１３】
2014131844.tif 000015
【図１４】
2014131844.tif 000016